(57)【要約】【課題】  インデックス用の冊子等がなくても多数の曲の中から所望の曲を容易に選曲できるようにする。【解決手段】  操作者がセレクトつまみを回すと、その回転量に応じたパルスが選曲入力部１５から出力され、このパルス信号がシステムコントロール部７０に供給される。そして、パルス信号によって第ｍ番目の曲が選択されると、カラオケ演奏コントロール部７２は、ＲＯＭカートリッジ５０内のポインタＰ・ＫＦＮを参照して（（Ｐ・ＫＦＮ）＋（ｍ−１）×２４）なる演算を行い、第ｍ番目の曲のテレビ表示用タイトルのアドレスを演算する。そして、第ｍ番目およびそれに続く他の５曲分のタイトル情報を読み出して、テレビ６０に表示させる。この結果、テレビ６０には６曲分のタイトルがリスト表示される。【選択図】        図1
2004234035.tif 000002
【特許請求の範囲】
【請求項１】
各曲の曲名情報が記憶された曲名情報記憶手段と、
操作者の操作に応じて、曲を選択する選曲信号を出力する選曲手段と、
前記曲名情報記憶手段内の各曲名について予め定められた順番を認識するとともに、前記選曲手段からの選曲信号に対応した曲、およびこれと連続する順番の所定数の曲の曲名情報を前記曲名情報記憶手段から読み出し、これらの曲名情報に基づく表示信号を作成して表示装置に出力する曲名表示信号出力手段と、
スイッチと、
複数の曲の一部分の再生情報を予め記憶し、前記スイッチが操作されると前記選曲手段によって選曲されている曲に対応する再生情報を読み出して再生する手段
とを具備することを特徴とする選曲装置。
【請求項２】
前記曲名表示信号出力手段は、前記各曲名情報の第１番目と最終番目とが連続するように前記順番を環状に認識することを特徴とする請求項１に記載の選曲装置。
【請求項３】
前記曲名表示信号出力手段は、前記曲名記憶手段に記憶された曲名情報のアドレスに対応して前記順番を認識することを特徴とする請求項１または２に記載の選曲装置。
【発明の詳細な説明】
【技術分野】
【０００１】
この発明は、いわゆるカラオケ演奏に用いて好適な歌唱用伴奏装置に関する。
【背景技術】
【０００２】
カラオケ装置において、選曲を行う場合は、一般に、収録曲名が網羅された冊子を見て唄いたい歌を選び、その歌に対応する曲番（曲コード）をカラオケ装置に入力する。曲番が入力されると、カラオケ装置は当該曲の信号（アナログオーディオ信号あるいはＭＩＤＩ信号）を読み出して演奏する。
【０００３】
また、携帯型のカラオケ装置においては、本体のＬＣＤに１曲ずつ曲名を表示し、これを操作子を用いて順次切り換えて、所望の曲を選択するという方式をもつものがある。
【発明の開示】
【発明が解決しようとする課題】
【０００４】
ところで、前者の装置にあっては、曲番を入力しなければならないため、インデックス用の冊子がないと、選曲できないという不便があった。
【０００５】
また、後者の装置にあっては、冊子等がなくても選曲ができるが、１曲ずつ表示されるため、多くの曲の中から所望の曲を選択するには極めて不便であった。さらに、選曲が終わって演奏が始まると、本体のＬＣＤ（液晶表示器）には当該曲の歌詞が表示されるようになっているため、演奏中においては選曲ができないという欠点があった。
【０００６】
この発明は、上述した事情に鑑みてなされたもので、インデックス用の冊子等がなくても多数の曲の中から所望の曲を容易に選曲できる歌唱用伴奏装置を提供することを目的としている。
【０００７】
また、この発明の他の目的は、上記目的に加え、演奏中においても次の曲の選曲を行うことができる歌唱用伴奏装置を提供することにある。
【課題を解決するための手段】
【０００８】
上記課題を解決するために、請求項１に記載の発明においては、各曲の曲名情報が記憶された曲名情報記憶手段と、操作者の操作に応じて、曲を選択する選曲信号を出力する選曲手段と、前記曲名情報記憶手段内の各曲名について予め定められた順番を認識するとともに、前記選曲手段からの選曲信号に対応した曲、およびこれと連続する順番の所定数の曲の曲名情報を前記曲名情報記憶手段から読み出し、これらの曲名情報に基づく表示信号を作成して表示装置に出力する曲名表示信号出力手段と、スイッチと、複数の曲の一部分の再生情報を予め記憶し、前記スイッチが操作されると前記選曲手段によって選曲されている曲に対応する再生情報を読み出して再生する手段とを具備することを特徴とする。
【０００９】
また、請求項２に記載の発明においては、前記曲名表示信号出力手段は、前記各曲名情報の第１番目と最終番目とが連続するように前記順番を環状に認識することを特徴とする。
【００１０】
さらに、請求項３に記載の発明においては、前記曲名表示信号出力手段は、前記曲名記憶手段に記憶された曲名情報のアドレスに対応して前記順番を認識することを特徴とする。
【発明の効果】
【００１１】
この発明によれば、インデックス用の冊子等がなくても多数の曲の中から所望の曲を容易に選曲でき、しかも、演奏中においても次の曲の選曲を行うことができる。また、歌詞情報表示制御手段の歌詞表示と並行して、選曲手段が選曲した曲の曲名を、選曲窓表示手段によって個別の表示窓に表示するように構成すると、演奏中においても次の曲の選曲を行うことができる。
【発明を実施するための最良の形態】
【００１２】
Ａ：実施例の構成
以下、図面を参照してこの発明の一実施例について説明する。
なお、この実施例は、本発明を携帯用カラオケ装置に適用した実施例である。
【００１３】
図２は、この発明の一実施例の外観を示す正面図である。図において、１は装置本体であり、その前面には以下に述べる操作子や表示部などが設けられている。まず、本体１の前面上部には、各種表示を行う液晶表示部２が設けられ、その下方には選曲を行うためのセレクトつまみ３および歌唱用伴奏の再生／停止を指示するスタート・ストップボタン４が設けられている。
【００１４】
ここで、図３は、セレクトつまみ３およびスタート・ストップボタン４の構造を示す斜視図であり、図示のようにセレクトつまみ３の下部には軸心を共通にしたギア１０が一体形成されている。このギア１０は、ロータリーエンコーダ１２の軸に取り付けられたギア１１にかみ合うようになっている。したがって、セレクトつまみ３を回転させると、これに応じてロータリーエンコーダ１２が回転し、その回転量に応じたパルスが出力される。この場合、セレクトつまみ３の回転量とロータリーエンコーダ１２から出力されるパルス数との関係は、ギア１０と１１のギア比によって任意に決定することができる。なお、上述したセレクトつまみ４、ギア１０、１１およびロータリーエンコーダ１２によって、選曲入力部１５が構成されている。
【００１５】
次に、図４は、図３に示す部分の断面図であり、図示のように、セレクトつまみ３は、前面パネル１ａに開けられた穴を介して本体内部に挿入されている。スタート・ストップボタン４は、上部が薄い円盤状に形成されており、その下面中央部からは、脚部４ａが下方に延びている。
【００１６】
また、セレクトつまみ３の下部中央に設けられた貫通孔には、管状のガイド部材２０がはめ込まれ、このガイド部材２０の下部に設けられた穴に脚部４ａが挿入されている。この結果、脚部４ａは、ガイド部材２０の穴に案内されつつ、図面上下方向に摺動自在となっている。一方、ガイド部材２０の上端部とスタート・ストップボタン４の上部との間には、コイルバネ２１が介在しており、脚部４ａはこのコイルバネ２１を貫通している。したがって、スタート・ストップボタン４は、常に図面上方に付勢されている。そして、操作者がスタート・ストップボタン４を押すと、脚部４ａが下方に移動し、その先端部がスイッチ２２を押す。このスイッチ２２の出力信号は、伴奏の再生、停止を指示するようになっている。
【００１７】
また、図４に示す部材のうち、ロータリーエンコーダ１２とスイッチ２２とは基板２３上に取り付けられているが、その他の部材は全て前面パネル１ａ側に取り付けられている。
【００１８】
次に、図２に示すＲＯＭカートリッジ５０は、曲の演奏情報（ＭＩＤＩ情報で５０曲分）や、曲のタイトル情報等が記憶されたＲＯＭを内蔵しており、本体１に対して着脱自在に構成されている。なお、ＲＯＭカートリッジ５０の記憶内容については、後に詳述する。
【００１９】
次に、ネクストボタン３０は、予約された曲を飛ばして次の予約曲を呼び出す場合に操作されるボタンである。エントリーボタン３１は、曲の予約を決定する際に押すボタンであり、タイトルボタン３２はＲＯＭカートリッジ５０のタイトルを表示させる際に押すボタンである。なお、ＲＯＭカートリッジ５０には、固有のタイトルを示す情報が記憶されており、これが表示可能になっている。ランダムボタン３３は、ランダムな選曲を行うモードを指示するボタンであり、このモードになると、ＲＯＭカートリッジ５０内の曲がランダムに指示される。ゲームボタン３４は、ゲームモードを指示するボタンであり、このモードにおいては、高速演奏あるいは低速演奏等を行って曲を当てるゲームなどが設定されている。
【００２０】
メロディスイッチ３５は、演奏する曲のメロディパートのオン／オフを指示するスイッチであり、歌い手が曲のメロディを良く覚えてない場合には、その補助のために、メロディスイッチ３５をオンにしてメロディパートを出力する。一方、歌い手がメロディを熟知していれば、メロディスイッチ３５をオフにすれば良い。
【００２１】
サウンドスイッチ３６は、残響やフィルタ特性等の音質切り換えを行うスイッチであり、この実施例においては、車内と室内の２つの状況に対応する音質が設定されているので、そのいずれかを選択する。
【００２２】
パワースイッチ３７は、３接点のスイッチになっており、「電源オフ」、「電源オン」、「電源オン＋液晶表示部の背照オン」の３つのポジションを持っている。
【００２３】
４０ｕ、４０ｄは、各々曲のキーを変更するためのキースイッチであり、キースイッチ４０ｕを押すとキーが上がり、キースイッチ４０ｄを押すとキーが下がる。４１ｕ、４１ｄは、各々曲のテンポを変更するためのテンポスイッチであり、テンポスイッチ４１ｕを押すとテンポが早くなり、テンポスイッチ４１ｄを押すとテンポが遅くなる。４５はマイクの音量を調整するマイクボリューム、４６はマイク信号に付与するエコー効果の度合いを調整するエコーボリュームである。
【００２４】
次に、図５に示すＰＰ１，ＰＰ２，ＰＰ３は、各々外部出力用の端子であり、ＰＰ１は映像出力端子、ＰＰ２，ＰＰ３は各々音声出力端子（左および右側のオーディオ出力端子）である。これらの端子ＰＰ１，ＰＰ２，ＰＰ３は、接続コードによってビデオ入力端子付きのテレビ６０に接続される。
【００２５】
次に、この実施例の電気的構成について説明する。図１は、この実施例の電気的構成を示すブロック図であり、図において、７０は装置各部を制御するシステムコントロール部である。システムコントロール部７０は、選曲入力部１５から出力されるパルス信号、および図２に示す各種ボタンやスイッチの信号に基づいて、カラオケ演奏コントロール部７２およびビデオ信号処理回路７３を制御する。
【００２６】
カラオケ演奏コントロール部７２は、本体１に挿入されたＲＯＭカートリッジ５０からデータを読み込み、曲のタイトルや歌詞を示す画像情報をビデオ信号処理回路７３に出力するとともに、選択された曲の演奏情報をオーディオ信号処理回路７５に出力する。オーディオ信号処理回路７５は、マイク８０から入力される音声信号と、カラオケ演奏コントロール部７２から供給される演奏情報をミキシング増幅し、この結果得られるオーディオ信号を出力する。ビデオ信号処理回路７３およびオーディオ信号処理回路７５の出力信号は、各々テレビ６０に供給される（図５参照）。なお、オーディオ信号処理回路７５の出力信号は、別途オーディオ装置８１に供給してもよい。
【００２７】
次に、ＲＯＭカートリッジ５０の記憶内容について説明する。図６は、ＲＯＭカートリッジ５０のメモリマップであり、幅方向に４バイトのエリアを有している。この場合、図示の各行が４つのエリア（すなわち、４つの番地）に対応している。
【００２８】
ＲＯＭカートリッジ５０は、記憶する曲に応じて多数作成されるが、メモリのフォーマットは全て共通である。ここで、番地０〜８３の合計８４バイトは固定エリアであり、全てのＲＯＭカートリッジにおいて、同じ番地に同種のデータが記憶されている。例えば、番地１にはメモリサイズを示すテキストコードが記憶されている。また、番地８０，８１，８２，８３の４バイトは、ポインタＰ・ＦＳＡとして機能し、１曲目の演奏データ（ＭＩＤＩデータ）のスタートアドレスが記憶された番地を示す。この場合、このポインタＰ・ＦＳＡが示す番地から始まる３２ビットのエリアに、１曲目の演奏データのスタートアドレスが記憶されている。そして、ポインタＰ・ＦＳＡが示す番地から４番地後のエリアには、１曲目の演奏データのエンドアドレスが記憶され、また、以後４番地毎に２曲目の演奏情報のスタートアドレス、同エンドアドレス、３曲目の演奏情報のスタートアドレス……という順で記憶されている。
【００２９】
次に、番地６８，６９，７０，７１は、ポインタＰ・ＫＦＮとして機能し、１曲目のタイトルが記憶されている番地を示す。この場合、ポインタＰ・ＫＦＮが示す番地から始まる２４バイトのエリアに最大１１文字（全角文字で１１文字）のタイトル情報が記憶されている。また、ポインタＰ・ＫＦＮが示す番地から４番毎に、第２曲目以降のタイトルが同様に記憶されている。これらのタイトル情報は、テレビ表示用の情報であり、英数文字およびかな／漢字を指定するコードである。
【００３０】
番地７２，７３，７４，７５は、ポインタＰ・ＫＦＮＫとして機能し、液晶表示用のタイトル情報が記憶されているエリアの先頭番地を示す。すなわち、ポインタＰ・ＫＦＮＫが示す番地から始まる２４バイトのエリアには、第１曲目のタイトルを示す英数文字およびカタカナ文字情報が最大１１文字記憶されている。そして、ポインタＰ・ＫＦＮＫが示す番地から４番地毎に、第２曲目以降のタイトルが同様に記憶されている。
【００３１】
番地７６，７７，７８，７９は、ポインタＰ・ＢＭＦとして機能し、ビットマップのフォントデータが記憶されているエリアの先頭番地を指示する。ポインタＰ・ＢＭＦが示す番地以降のエリアにおいては、上述したタイトル文字の内、特殊文字、すなわち、カラオケ演奏コントロール部７２内のフォントデータに存在しない文字に関するフォントデータが記憶されている。なお、図６においては、演奏データや歌詞情報が記憶されているエリアについては図示省略した。
【００３２】
Ｂ：実施例の動作
（１）初期表示
次に、上述した構成によるこの実施例の動作について説明する。まず、パワースイッチ３７をオンすると、カラオケ演奏コントロール部７２は、ＲＯＭカートリッジ５０内のポインタＰ・ＫＦＮを参照してテレビ表示用のタイトル情報を第１曲目から６曲分読み出す。そして、これらの曲のタイトル情報をテキストコードに変換し、さらに、これらのテキストコードに対応したフォントデータを、ビデオ信号処理回路７３に転送する。これにより、ビデオ信号処理回路７３は、テレビ６０に図７（ａ）に示すような表示を行う。すなわち、画面上部から６行にわたって、曲番とともに曲のタイトルが表示される。この場合、曲番「００１」の「オリビアを聴きながら」が初期状態において選択され、この部分がハイライト表示（他の部分より明るい表示：識別表示処理）がされる。
【００３３】
そして、画面の下部には、１曲分のタイトルが表示される窓があり、この部分にはハイライト表示されている行と同じ内容が表示される。すなわち、図示の例では、曲番「００１」の「オリビアを聴きながら」が表示されている。
【００３４】
一方、カラオケ演奏コントロール部７２は、ポインタＰ・ＫＦＮＫを参照して、第１曲目の液晶表示用のタイトル情報を読み出し、これを液晶表示部２に供給する。この結果、液晶表示部２は、図７（ｂ）に示すように、第１曲目の曲番とタイトル（カタカナ）を表示する。
【００３５】
（２）選曲
次に、操作者がセレクトつまみ３を回すと、その回転量に応じたパルスが選曲入力部１５から出力され、このパルス信号がシステムコントロール部７０に供給される。今、操作者がセレクトつまみ３を右に１パルス分回したとすると、システムコントロール部７０は、供給されたパルスに基づいてカラオケ演奏コントロール７２に、次の曲を選択するように指示する。
【００３６】
この結果、カラオケ演奏コントロール部７２は、第２番目の曲である「００２」、「You're My Only Shinin'」を表示している行を、第１曲目の行に代えてハイライト表示を行うようビデオ信号処理回路７３に指令する。この結果、テレビ６０の画面において（図７（ａ）参照）、第２番目のタイトルを表示している行がハイライト表示される。そして、これと同時に、画面の下部の窓には、ハイライト表示されている行と同じ内容である、第２番目の曲のタイトルが表示される。
【００３７】
また、カラオケ演奏コントロール部７２は、第２曲目の液晶表示用のタイトル情報をＲＯＭカートリッジ５０から読み出し、これを液晶表示部２に供給する。この結果、液晶表示部２には、第２曲目の曲のタイトルがカタカナで表示される。
【００３８】
以後同様にして、セレクトつまみ３を右に回していくと、選択される曲が第３曲目、第４曲目という順で切り替わって行く。そして、これに対応してハイライト表示される部分、窓に表示される内容および液晶表示部２に表示される内容が切り替わる。
【００３９】
さらに、セレクトつまみ３が回されて、第６曲目が選択されると、カラオケ演奏コントロール部７２は、ＲＯＭカートリッジ５０から、テレビ表示用のタイトル情報を第２曲目〜７曲について読み出す。したがって、テレビ６０の画面には、第２曲目から第７曲目までが表示され、第７曲目がハイライト表示される。すなわち、テレビ６０の画面が１行分上方にスクロールする。この場合、セレクトつまみ３を速く回すと、テレビ６０の画面は、高速スクロールする。したがって、選択したい曲の番号が大きくても、セレクトつまみ３を速く回すことによって、瞬時に所望曲を見つけることができる。一方、セレクトつまみ６０を左に回すと、テレビ６０の画面においてハイライト表示される行が順次上方に移っていき、その後は、画面が下方にスクロールされる。
【００４０】
一般に、セレクトつまみ３が回されて、第ｍ番目の曲が選択されると、カラオケ演奏コントロール部７２は、ポインタＰ・ＫＦＮを参照して第ｍ番目の曲のテレビ表示用タイトルのアドレスを次のように演算する。
【００４１】
【数１】
2004234035.tif 000003
そして、求められたアドレスから３２バイトのデータを読み出す。同様にして、液晶表示用のタイトルアドレスは、次のようにして求められる。
【００４２】
【数２】
2004234035.tif 000004
そして、求めたアドレスから３２バイトのデータを読み出す。
【００４３】
また、カラオケ演奏コントロール部７２は、最終曲番（５０番）の次の曲が指定されると曲番１を選択し、最初の曲番（曲番１）の手前の曲が指定されると曲番５０を選択する。すなわち、曲番１〜５０は、データ処理上リング構造になっている。したがって、セレクトつまみ３を左右いずれかに回すことにより、所望の曲を迅速に探すことができる。
【００４４】
（３）演奏の開始
次に、いずれかの曲が選択されている状態において、スタート・ストップボタン４が押されると、図４に示すスイッチ２２からオン信号が出力される。これにより、システムコントロール部７０がカラオケ演奏コントロール部７２に演奏の開始を指示する。この結果、カラオケ演奏コントロール部７２は、ＲＯＭカートリッジ５０内のポインタＰ・ＦＳＡを参照して、選択されている曲の演奏データの開始および終了アドレスを読み出し、そのエリア内の演奏データを順次読み出し、伴奏情報を形成してオーディオ信号処理回路７５に転送する。また、演奏データの読み出しに同期して、当該曲の歌詞情報を読み出し、ビデオ信号処理回路７３に転送する。この結果、ビデオ信号処理回路７３においては、当該曲の歌詞をテレビ６０の画面に表示する。この場合、曲の進行に応じて、歌詞が色塗りされる。
【００４５】
さらに、カラオケ演奏コントロール部７２は、ＲＯＭカートリッジ５０内の該当するエリアから、カタカナによる歌詞情報を読み出し、液晶表示部２に供給する。この結果、液晶表示部２には、当該曲のカタカナの歌詞が表示される。この場合、カタカナ歌詞の下部にカーソルが示され、曲の進行に応じてカーソルが移動するようになっている。
【００４６】
今、図７に示すように、第１曲目の「オリビアを聴きながら」が選択されている状態で、スタート・ストップボタン４が押されると、テレビ６０の画面には、図８（ａ）に示すような歌詞表示が行われる。また、図面下部の「Ｋ」および「Ｔ」が表示される部分には、各々キーおよびテンポが表示されるようになっている。
【００４７】
また、液晶表示部２には、図８（ｂ）に示すように、カタカナで歌詞が表示される。図示の例では、「オキニイリ」の「イ」の部分にカーソルが表示されている。
【００４８】
（４）曲の予約
本実施例においては、選択した曲を直ちに演奏するだけでなく、複数の曲を順次予約することができる。この場合には、セレクトつまみ３を用いて所望の曲を選択した後、エントリーボタン３１を押す。このエントリーボタン３１が押されると、システムコントロール部７０がカラオケ演奏コントロール部７２に予約指令を出力する。この結果、カラオケ演奏コントロール部７２は、現在選択されている曲を所定の記憶部に記憶する。以後同様にして、予約登録された曲が記憶されていき、スタート・ストップボタン４が押されて、演奏の開始が指示されると、最先に予約された曲から演奏を開始する。
【００４９】
また、本実施例においては、演奏中における予約も可能である。演奏中においては、テレビ６０の画面に図８（ａ）に示す表示がなされるが、この画面の下部の窓には、その時点において選択されている曲のタイトルが表示されている。ここで、セレクトつまみ３を回すと、その回転量に応じて窓に表示される曲が順次切り替わる。そして、所望の曲が表示されたときに、エントリーボタン３１を押すと、当該曲が予約登録される。
【００５０】
図９（ａ）は、演奏中に第３番目の曲が選択された状態を示している。また、窓の下に表示されている三角の記号は、その数が予約されている曲数を示す。したがって、図示の場合は、１０曲分の予約がされている状態である。
【００５１】
また、図９（ｂ）は、演奏中に選曲が行われた場合の液晶表示部２の表示内容を示している。液晶表示部２は、演奏中はカタカナによる歌詞を表示しているが、選曲入力部１５からパルス信号が出力されてシステムコントロール部７０から選曲指令が出力されると、カラオケ演奏コントロール部７２は、歌詞表示から選択曲表示に切り換える。また、選択曲のタイトルが一定時間表示された後は、再び、その時点で演奏されている曲の歌詞を表示する。
【００５２】
（５）その他
（ａ）カートリッジタイトルの表示
図２に示すタイトルボタン３２が押されると、システムコントロール部７０は、カラオケ演奏コントロール部７２に対してタイトル表示を指示する。この結果、カラオケ演奏コントロール部７２は、ＲＯＭカートリッジ５０の４番地から２７番地に記憶されているタイトル情報を読み出し、ビデオ信号処理回路７３に転送する。これにより、テレビ６０にはＲＯＭカートリッジ５０のタイトルが表示される。このように、タイトル表示するのは、現在どのようなＲＯＭカートリッジが本体１に挿入されているのかを確認するのに便利だからである。
【００５３】
（ｂ）ランダム選曲
カラオケ演奏コントロール部７２は、ランダムな選曲を行うランダム選曲機能を有しており、ランダムボタン３３が押されて、システムコントロール部７０からランダムモードが指示されると、ＲＯＭカートリッジ５０内の曲をランダムに選曲する。この場合、選曲後の演奏動作は、セレクトつまみ３によって選曲したときと同様である。
【００５４】
Ｃ：実施例効果
（１）本実施例においては、回転するセレクトつまみれとこれに連動したロータリエンコーダによって曲を選択するので、操作性が極めて高いという利点がある。したがって、記憶曲数が多い場合でも、セレクトつまみを速く回すことによって容易に選択することができる。
【００５５】
（２）本実施例においては、記憶された曲名の第１番目と最終番目とが連続して環状に認識されるので、正逆いずれの方向からでも、目的とする曲を探すことができる。しかも、曲の順位が環状に構成されることが、セレクトつまみの回転操作と観念的に類似するので、極めて自然な感覚で操作を行うことができる。
【００５６】
（３）曲名が記憶されたアドレスの順に曲名の順番が認識されるので、順位に関する情報を併せて記憶させる必要がない。なお、必要であれば順位情報を曲名とともに記憶させ、アドレスの順位とは無関係に曲の順番を決定してもよい。
【００５７】
Ｄ：変形例
（１）メロディ・インデックス
本実施例においては、複数の曲のタイトルが直接画面に表示され、かつ、セレクトつまみ３を回すことによって、任意の曲を選択することができるが、曲のタイトルだけでは当該曲を思い出せない場合がある。そこで、例えば、タイトル情報に併せて、その曲の最も良く知られている部分、例えばサビの部分、あるいはその曲のイントロ部分、リフレイン部分等の再生情報（ＭＩＤＩ情報の形式であれば必要なメモリ量は少なくて済むし、更にメロディのみに限ればより少なくできる）を記憶し、所定のスイッチが押されたら、そのメロディ情報を読み出して再生するように構成してもよい。このように、タイトル表示に加えて、曲の特徴を表す部分のメロディを再生すると、当該曲を想い出し易く、インデックスとしての機能が向上する。
【００５８】
（２）ロータリーエンコーダ以外の選曲構成
上述した実施例においては、セレクトつまみ３の回転量に対応するパルスをロータリーエンコーダ１２から出力させ、このパルスに基づいて選曲を行ったが、選曲機構はこれに限らず、例えば、アップダウンスイッチ、タッチパネルあるいはスライドボリュームなどから選曲信号を得るようにしてもよい。
【００５９】
（３）カラオケ演奏コントロール部７２とシステムコントロール部７０とは、マイクロコンピュータ等を用いて構成するのが一般的である。その場合には、両者は回路上分かれることなく、一体に構成される。
【００６０】
（４）演奏情報と曲のタイトル情報とは、ＲＯＭカートリッジ５０内の同一のＲＯＭに記憶されてもよく、また、別体のＲＯＭに記憶されてもよい。さらに、ＣＤ−ＲＯＭやＭＤに記憶させてもよく、電池でバックアップされたＲＡＭ等に記憶させてもよい。
【図面の簡単な説明】
【００６１】
【図１】この発明の一実施例の電気的構成を示すブロック図である。
【図２】同実施例の外観を示す正面図である。
【図３】同実施例における選曲入力部１５の構造を示す斜視図である。
【図４】図３に示す機構の断面図である。
【図５】同実施例においてテレビを接続する場合の接続図である。
【図６】同実施例おけるＲＯＭカートリッジ５０のメモリマップである。
【図７】選曲時におけるテレビおよび液晶表示部の表示例を示す図である。
【図８】演奏時におけるテレビおよび液晶表示部の表示例を示す図である。
【図９】演奏時において選曲を行う場合のテレビおよび液晶表示部の表示例を示す図である。
【符号の説明】
【００６２】
４……スタート・ストップボタン（演奏開始指示手段）、
１５……選曲入力部（選曲手段）、
２２……スイッチ（演奏開始指示手段）、
５０……ＲＯＭカートリッジ（曲名情報記憶手段）、
７０……システムコントロール部（曲名表示信号出力手段）、
７２……カラオケ演奏コントロール部（曲名表示信号出力手段：識別表示指示手段：演奏信号作成手段：歌詞情報表示制御手：段選曲窓表示手段）、
７３……ビデオ信号処理回路（曲名表示信号出力手段）。
【図１】
2004234035.tif 000005
【図２】
2004234035.tif 000006
【図３】
2004234035.tif 000007
【図４】
2004234035.tif 000008
【図５】
2004234035.tif 000009
【図６】
2004234035.tif 000010
【図７】
2004234035.tif 000011
【図８】
2004234035.tif 000012
【図９】
2004234035.tif 000013